(57)【要約】【課題】データ通信装置のクロストークノイズの影響を低減し、通信品質の向上を図るとともに、人手による調整作業を削減する。【解決手段】複数のマルチドロップペア線１、２を伝送媒体とし、親モデム１０と複数の子モデム１１、１２、２１、２２が１：Ｎの対応で構成されているネットワークを有するデータ通信装置において、親モデム１０内にクロストーク制御部１０ｃと子モデム１１，１２，２１，２２内にクロストーク監視部１１ｃ、１２ｃ２１ｃ、２２ｃを搭載し、親モデム１０と子モデム１１、１２、２１、２２間でクロストークノイズ制御信号の連携および親モデム１０に送信電力を低減させる処理機能を持たせた。【選択図】図１
2010161558.tif 000002
【特許請求の範囲】
【請求項１】
第１のマルチドロップペア線、
第２のマルチドロップペア線、
前記第１及び第２のマルチドロップペア線に対してデータを送受信するペア線インタフェース部と当該ペア線インタフェース部に接続され変復調機能を有するモデム部とこのモデム部に接続されクロストーク影響検知用信号の生成を行うクロストーク制御部とを備えた親モデム、
前記親モデムに前記第１または第２のマルチドロップペア線を介して接続されてデータを送受信するペア線インタフェース部と当該ペア線インタフェース部に接続され変復調機能を有するモデム部とこのモデム部に接続されクロストーク信号を検出するクロストーク監視部を備えた子モデムを備え、
前記親モデムは、前記子モデムに対してクロストーク影響検知用信号を送り、前記子モデムからのクロストーク影響通知（影響あり）を受信したとき、クロストークノイズの影響を与えている子モデムへのデータ送信電力レベルを低減する機能を有することを特徴とするデータ通信装置。
【請求項２】
第１のマルチドロップペア線、
第２のマルチドロップペア線、
前記第１のマルチドロップペア線に対してデータを送受信するペア線インタフェース部と当該ペア線インタフェース部に接続され変復調機能を有するモデム部とこのモデム部に接続されクロストーク影響検知用信号の生成を行うクロストーク制御部とを備えた第１の親モデム、
前記第２のマルチドロップペア線に対してデータを送受信するペア線インタフェース部と当該ペア線インタフェース部に接続され変復調機能を有するモデム部とこのモデム部に接続されクロストーク影響検知用信号の生成を行うクロストーク制御部とを備えた第２の親モデム、
前記第１の親モデムと前記第２の親モデムとを接続するモデム間ケーブル、
前記第１の親モデムに前記第１のマルチドロップペア線を介して接続されるか、前記第２の親モデムに前記第２のマルチドロップペア線を介して接続されるかしてデータを送受信するペア線インタフェース部と当該ペア線インタフェース部に接続され変復調機能を有するモデム部とこのモデム部に接続されクロストーク信号を検出するクロストーク監視部を備えた子モデムを備え、
前記第１の親モデムが、前記第１または第２の親モデムから前記子モデムに対してクロストーク影響検知用信号を送り、前記子モデムからのクロストーク影響通知（影響あり）を受信したとき、クロストークノイズの影響を与えている子モデムへのデータ送信電力レベルを低減する機能を前記第２の親モデムとともに実現するためのクロストーク制御調停部を有することを特徴とするデータ通信装置。
【請求項３】
前記子モデムは、クロストーク低減の契機となる信号を生成する機能を備えたことを特徴とする請求項１または２に記載のデータ通信装置。
【請求項４】
前記親モデムは、クロストークを低減するための制御信号を定周期または不定期なタイミングで前記子モデムに送る機能を有するクロストーク低減タイミング生成部を備えたことを特徴とする請求項１に記載のデータ通信装置。
【請求項５】
前記第１の親モデムは、クロストークを低減するための制御信号を定周期または不定期なタイミングで前記子モデムに送る機能を有するクロストーク低減タイミング生成部を備えたことを特徴とする請求項２に記載のデータ通信装置。
【請求項６】
前記親モデムは、前記各子モデムから受信したクロストーク影響通知を元に、どの区間でクロストークが発生しているかを推測し、ネットワーク管理装置等に送信するクロストーク発生区間検出部を備えたことを特徴とする請求項１に記載のデータ通信装置。
【請求項７】
前記第１の親モデムは、前記各子モデムから受信したクロストーク影響通知を元に、どの区間でクロストークが発生しているかを推測し、ネットワーク管理装置等に送信するクロストーク発生区間検出部を備えたことを特徴とする請求項２に記載のデータ通信装置。
【発明の詳細な説明】
【技術分野】
【０００１】
この発明は、複数のマルチドロップペア線を伝送媒体とし、親装置（モデム内蔵）から複数の子装置（モデム内蔵）に対する通信形態がマルチドロップ構成であるような配電自動化用システム等に適用されるデータ通信装置に関するものである。
【背景技術】
【０００２】
従来のデータ通信装置においては、一対一の対向モデムで構成されたデータ通信装置の近辺に、別の一対一の対向モデムで構成されたデータ通信装置が近接する場合、一方のデータ通信装置は一旦通信を停止させ、他の回線との間のクロストークノイズをモニタする。このモニタによって、閾値を超えたクロストークノイズを検出した場合、当該ノイズの原因と決定されたデータ通信装置への信号を最小化し、異なるデータ通信装置を最小限の干渉で動作させている。このような装置は例えば、特許文献１に開示されている。
【先行技術文献】
【特許文献】
【０００３】
【特許文献１】特表２０００−５００９４８号公報（第２５頁、第１図）
【発明の概要】
【発明が解決しようとする課題】
【０００４】
従来のデータ通信装置は以上のように構成されているので、ネットワーク構成が１：Ｎの場合でかつ１台の親モデムからＮ台の子モデムに対して通信する場合、最遠端の子モデムが長距離であるため、親モデムからの送信電力レベルを高くして送信する場合には、子モデムの送信レベルを最小化することはできるが、親モデムから高出力で送信される信号の電力レベルを調整することができないため、子モデム側の受信減衰レベルを最小限に設定したり（受信感度の低下）、予め現地環境等を調査して人手で信号送出レベルを調整するなどしていた。また、現地環境調査が困難な場合は、影響が無い程度の信号送出レベルを各モデムに固定設定するケースが多いが、伝送距離が制約される等の課題があった。
【０００５】
この発明は上記のような課題を解決するためになされたものであり、ネットワーク構成が１：Ｎの場合でかつ１台の親モデムからＮ台の子モデムに対して通信する場合においても、同一ケーブル内の異なるマルチドロップペア線または異なるケーブルから発せられるクロストークノイズを自動で抑制することによって通信品質を向上させるとともに、人手による調整作業を削減することで調整費用の低減を図ることができ、また、親モデムからの送信電力レベルを段階的に低下させることで、通信距離を極力確保したノイズ低減制御ができるデータ通信装置を得ることを目的とする。
【課題を解決するための手段】
【０００６】
この発明に係るデータ通信装置は、第１のマルチドロップペア線、第２のマルチドロップペア線、前記第１及び第２のマルチドロップペア線に対してデータを送受信するペア線インタフェース部と当該ペア線インタフェース部に接続され変復調機能を有するモデム部とこのモデム部に接続されクロストーク影響検知用信号の生成を行うクロストーク制御部とを備えた親モデム、前記親モデムに前記第１または第２のマルチドロップペア線を介して接続されてデータを送受信するペア線インタフェース部と当該ペア線インタフェース部に接続され変復調機能を有するモデム部とこのモデム部に接続されクロストーク信号を検出するクロストーク監視部を備えた子モデムを備え、前記親モデムは、前記子モデムに対してクロストーク影響検知用信号を送り、前記子モデムからのクロストーク影響通知（影響あり）を受信したとき、クロストークノイズの影響を与えている子モデムへのデータ送信電力レベルを低減する機能を有することを特徴とするものである。
【発明の効果】
【０００７】
この発明によれば、同一ケーブル内の異なるマルチドロップペア線または異なるケーブルから発せられるクロストークノイズを自動で抑制することによって通信品質を向上させるとともに、人手による調整作業を削減することで調整費用の低減を図ることができ、また、親モデムからの送信電力レベルを段階的に低下させることで、通信距離を極力確保したノイズ低減制御ができる効果がある。
【図面の簡単な説明】
【０００８】
【図１】この発明の実施の形態１に係るデータ通信装置を示すブロック図である。
【図２】実施の形態１におけるクロストークノイズの影響が無い場合の処理フロー例である。
【図３】実施の形態１におけるクロストークノイズの影響が有る場合の処理フロー例である。
【図４】この発明の実施の形態２に係るデータ通信装置を示すブロック図である。
【図５】実施の形態２におけるクロストークノイズの影響が無い場合の処理フロー例である。
【図６】実施の形態２におけるクロストークノイズの影響が有る場合の処理フロー例である。
【図７】この発明の実施の形態３に係るデータ通信装置を示すブロック図である。
【図８】実施の形態３における処理フロー例である。
【図９】この発明の実施の形態４に係るデータ通信装置を示すブロック図である。
【図１０】この発明の実施の形態５に係るデータ通信装置を示すブロック図である。
【図１１】実施の形態５におけるクロストークノイズの影響が有る場合の処理フロー例である。
【発明を実施するための形態】
【０００９】
実施の形態１．
以下、この発明の実施の形態１を図１に基づいて説明する。図１はこの発明に係るデータ通信装置の構成を示す図である。図１において、親モデム１０は、第１及び第２マルチドロップペア線１及び２に接続されたペア線インタフェース部１０ａと、このペア線インタフェース部１０ａに接続されたモデム部１０ｂと、さらに、モデム部１０ｂと接続されたクロストーク制御部１０ｃとを備えている。また、クロストーク制御部１０ｃとモデム部１０ｂ間に、信号送信レベル制御線１０ｄが接続されている。
【００１０】
前記第１マルチドロップペア線１には子モデム１１、１２が接続されている。同様に、第２マルチドロップペア線２には子モデム２１、２２が接続されている。前記各子モデム１１、１２、２１、２２はそれぞれ、ペア線インタフェース部１１ａ、１２ａ、２１ａ、２２ａと、モデム部１１ｂ、１２ｂ、２１ｂ、２２ｂと、さらにクロストーク監視部１１ｃ、１２ｃ、２１ｃ、２２ｃを備えている。そして、ペア線インタフェース部１１ａ、１２ａは第１マルチドロップペア線１に、ペア線インタフェース部２１ａ、２２ａは第２マルチドロップペア線２に接続され、また、モデム部はそれぞれのペア線インタフェース部に接続され、また、クロストーク監視部はそれぞれのモデム部に接続されている。
【００１１】
ここで、ペア線インタフェース部１０ａとペア線インタフェース部１１ａ及びペア線インタフェース部１２ａ間で通信に使用する周波数と、ペア線インタフェース部１０ａとペア線インタフェース部２１ａ及びペア線インタフェース部２２ａ間で通信に使用する周波数は同じである。
【００１２】
前記の構成のデータ通信装置において、親モデム１０は第１マルチドロップペア線１を通して子モデム１１、１２とデータのやり取りを行う。同様に、親モデム１０は第２マルチドロップペア線２を通して子モデム２１、２２とデータのやり取りを行う。親モデム１０は起動後すぐにクロストーク制御部１０ｃからペア線インタフェース部１０ａを通して子モデム１１、１２及び２１、２２にクロストーク影響検知用信号を送る。所定時間後、例えば子モデム１１から影響有りのクロストーク影響通知を親モデム１０が受信すると、クロストーク制御部１０ｃは、ペア線インタフェース部１０ａを通して、クロストークの原因となっている子モデム２１、２２への信号送出レベルを自動的に下げてデータ伝送を行うことにより、クロストークの影響を低減する。
【００１３】
次に前記動作を、図２、図３を用いてさらに詳細に説明する。親モデム１０を起動すると、親モデム１０はクロストーク制御処理を行うが、クロストークノイズの影響がない場合の処理を図２に、クロストークノイズの影響がある場合の処理を図３に示す。以下に示す処理手順において、手順の説明の冒頭に付した符号（Ａ１、Ａ２・・・等）は、図２、図３中に付した符号と一致させてある。
【００１４】
（Ａ１）先ず、親モデム１０の起動時に、ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００１５】
（Ａ２）ペア線インタフェース部１０ａから第２のマルチドロップペア線２に送出される信号のクロストークノイズが、子モデム１１及び子モデム１２に影響していないかを確認するための信号（クロストーク影響検知用信号）をクロストーク制御部１０ｃで生成し、モデム部１０ｂ、ペア線インタフェース部１０ａ、及び第２のマルチドロップペア線２を介して子モデム２１及び子モデム２２宛に送信する。
【００１６】
（Ａ３）子モデム１１は、子モデム１１自身が通信に使用する周波数帯域の電力レベルを監視しておき、この電力レベルが予め設定等によって登録されている閾値レベルを超えないか、ｎ秒間監視する。
【００１７】
（Ａ４）上記Ａ３項で閾値レベル以上の信号が検知されなかった場合、クロストークノイズの影響が無いことを示す信号（クロストーク影響通知（影響無し））をクロストーク監視部１１ｃで生成し、モデム部１１ｂ及びペア線インタフェース部１１ａを介して親モデム１０宛に送信する。クロストーク影響通知（影響無し）は、ペア線インタフェース部１０ａ及びモデム部１０ｂを介してクロストーク制御部１０ｃに受信される。
【００１８】
（Ａ５）上記Ａ１項のクロストーク影響検知用信号（事前通知））をクロストーク制御部１０ｃで生成し、モデム部１０ｂ、ペア線インタフェース部１０ａ、及び第１のマルチドロップペア線１を介して子モデム１２宛に送信する。クロストーク影響検知用信号（事前通知）は、ペア線インタフェース部１２ａ及びモデム部１２ｂを介してクロストーク監視部１２ｃに受信される。
【００１９】
（Ａ６）上記Ａ２項のクロストーク影響検知用信号をクロストーク制御部１０ｃで生成し、モデム部１０ｂ、ペア線インタフェース部１０ａ及び第２のマルチドロップペア線２を介して子モデム２１及び子モデム２２宛に送信する。
【００２０】
（Ａ７）子モデム１２は、子モデム１２自身が通信に使用する周波数帯域の電力レベルを監視しておき、この電力レベルが予め設定等によって登録されている閾値レベルを超えないか、ｎ秒間監視する。
【００２１】
（Ａ８）上記Ａ７項で閾値レベル以上の信号が検知されなかった場合、クロストークノイズの影響が無いことを示す信号（クロストーク影響通知（影響無し））をクロストーク監視部１２ｃで生成し、モデム部１２ｂ及びペア線インタフェース部１２ａを介して親モデム１０宛に送信する。
【００２２】
（Ａ９）ペア線インタフェース部１０ａから第１のマルチドロップペア線１に送出される信号のクロストークノイズが、子モデム２１及び子モデム２２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第２のマルチドロップペア線２を介して子モデム２１宛に送信する。クロストーク影響検知用信号（事前通知）は、ペア線インタフェース部２１ａ及びモデム部２１ｂを介してクロストーク監視部２１ｃに受信される。
【００２３】
（Ａ１０）ペア線インタフェース部１０ａから第１のマルチドロップペア線１に送出される信号のクロストークノイズが、子モデム２１及び子モデム２２に影響していないかを確認するための信号（クロストーク影響検知用信号）をクロストーク制御部１０ｃで生成し、モデム部１０ｂ、ペア線インタフェース部１０ａ、及び第１のマルチドロップペア線１を介して子モデム１１及び子モデム１２宛に送信する。
【００２４】
（Ａ１１）子モデム２１は、子モデム２１自身が通信に使用する周波数帯域の電力レベルを監視しておき、この電力レベルが予め設定等によって登録されている閾値レベルを超えないか、ｎ秒間監視する。
【００２５】
（Ａ１２）上記Ａ１１項で閾値レベル以上の信号が検知されなかった場合、クロストークノイズの影響が無いことを示す信号（クロストーク影響通知（影響無し））をクロストーク監視部２１ｃで生成し、モデム部２１ｂ及びペア線インタフェース部２１ａを介して親モデム１０宛に送信する。
【００２６】
（Ａ１３）上記Ａ９項のクロストーク影響検知用信号（事前通知）をクロストーク制御部１０ｃで生成し、モデム部１０ｂ、ペア線インタフェース部１０ａ、及び第２のマルチドロップペア線２を介して子モデム２２に送信する。クロストーク影響検知用信号（事前通知）は、ペア線インタフェース部２１ａ及びモデム部２１ｂを介してクロストーク監視部２１ｃに受信される。
【００２７】
（Ａ１４）上記Ａ１０項のクロストーク影響検知用信号をクロストーク制御部１０ｃで生成し、モデム部１０ｂ、ペア線インタフェース部１０ａ、及び第１のマルチドロップペア線１を介して子モデム１１及び子モデム１２宛に送信する。
【００２８】
（Ａ１５）子モデム２２は、子モデム２２自身が通信に使用する周波数帯域の電力レベルを監視しておき、この電力レベルが予め設定等によって登録されている閾値レベルを超えないか、ｎ秒間監視する。
【００２９】
（Ａ１６）上記Ａ１５項で閾値レベル以上の信号が検知されなかった場合、クロストークノイズの影響が無いことを示す信号（クロストーク影響通知（影響無し））をクロストーク監視部２２ｃで生成し、モデム部２２ｂ及びペア線インタフェース部２２ａを介して親モデム１０宛に送信する。
【００３０】
次に、クロストークノイズの影響がある場合は、図３の処理を行う。以下に処理手順を示す。なお、下記手順は、第２のマルチドロップペア線２上の信号によるクロストークノイズが、子モデム１１に影響を及ぼしている例について記載する。
【００３１】
（Ｂ１）親モデム１０の起動時に、ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００３２】
（Ｂ２）ペア線インタフェース部１０ａから第２のマルチドロップペア線２に送出される信号のクロストークノイズが、子モデム１１及び子モデム１２に影響していないかを確認するための信号（クロストーク影響検知用信号）をクロストーク制御部１０ｃで生成し、モデム部１０ｂ、ペア線インタフェース部１０ａ、及び第２のマルチドロップペア線２を介して子モデム２１及び子モデム２２宛に送信する。
【００３３】
（Ｂ３）子モデム１１は、子モデム１１自身が通信に使用する周波数帯域の電力レベルを監視しておき、この電力レベルが予め設定等によって登録されている閾値レベルを超えないか、ｎ秒間監視する。
【００３４】
（Ｂ４）上記Ｂ３項で閾値レベル以上の信号が検知された場合、クロストークノイズの影響が有ることを示す信号（クロストーク影響通知（影響有り））をクロストーク監視部１１ｃで生成し、モデム部１１ｂ及びペア線インタフェース部１１ａを介して親モデム１０宛に送信する。クロストーク影響通知（影響有り）は、ペア線インタフェース部１０ａ及びモデム部１０ｂを介してクロストーク制御部１０ｃに受信される。
【００３５】
（Ｂ５）クロストーク制御部１０ｃは、モデム部１０ｂに対して、ペア線インタフェース部１０ａから第２のマルチドロップペア線２に送信される信号の電力レベルを下げるように、信号送信レベル制御線１０ｄを介して制御する。
【００３６】
（Ｂ６）クロストーク制御部１０ｃは、モデム部１０ｂから第２のマルチドロップペア線２に送信される信号の電力レベルを減衰（ダウン）させる。このとき減衰させる電力レベルは、予め設定等によって決められた値であってもよいし、任意のレベルでもよい。
【００３７】
（Ｂ７）ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００３８】
（Ｂ８）ペア線インタフェース部１０ａから第２のマルチドロップペア線２に送出される信号のクロストークノイズが、子モデム１１及び子モデム１２に影響していないかを確認するための信号（クロストーク影響検知用信号）をクロストーク制御部１０ｃで生成し、モデム部１０ｂ、ペア線インタフェース部１０ａ、及び第２のマルチドロップペア線２を介して子モデム２１及び子モデム２２宛に送信する。
【００３９】
（Ｂ９）子モデム１１は、子モデム１１自身が通信に使用する周波数帯域の電力レベルを監視しておき、この電力レベルが予め設定等によって登録されている閾値レベルを超えないか、ｎ秒間監視する。
【００４０】
（Ｂ１０）上記Ｂ９項で閾値レベル以上の信号が検知された場合、閾値レベル以上の信号が検知されなくなるまで、上記Ｂ４〜Ｂ６項の処理を行う。また、上記Ｂ９項で閾値レベル以上の信号が検知されなかった場合、クロストークノイズの影響が無いことを示す信号（クロストーク影響通知（影響無し））をクロストーク監視部１１ｃで生成し、モデム部１１ｂ及びペア線インタフェース部１１ａを介して親モデム１０宛に送信する。
【００４１】
実施の形態２．
なお、上記実施の形態１では、クロストーク制御部１０ｃとクロストーク監視部１１ｃ、１２ｃ、２１ｃ、２２ｃにより、親モデム１０の起動時に子モデム１１〜２２が、隣接するマルチドロップペア線からのクロストークノイズを低減させる場合について述べたが、本実施の形態２では、図４に示すように、子モデム１１内に装置起動検出部１１１ａとクロストーク制御依頼信号生成部１１１ｂを設け、装置起動検出部１１１ａとクロストーク制御依頼信号生成部１１１ｂを接続し、更にクロストーク制御依頼信号生成部１１１ｂとモデム部１１ｂを接続する。また、親モデム１０内にクロストーク制御依頼検出部１０１ａを設け、クロストーク制御部１０ｃに接続する。その他の構成は実施の形態１と同様なので、相当する要素に同一符号を付して説明を省略する。
【００４２】
これにより、子モデム１１の起動時に装置起動検出部１１１ａが起動を検知し、装置起動検出部１１１ａからクロストーク制御依頼信号生成部１１１ｂに起動検知信号を送信することにより、クロストーク制御依頼信号生成部１１１ｂがクロストーク制御部１０ｃにクロストーク制御を依頼するようにしたので、子モデム１１の増設等によって急に子モデムの設置条件が変わっても、そのタイミングでクロストークを抑えることが可能となり、システム全体の信頼性を更に高めることが可能となる。
【００４３】
なお、上記段落００３９では子モデム１１について説明したが、子モデム１２、２１、２２についても、装置起動検出部１２１ａ及びクロストーク制御依頼信号生成部１２１ｂ、装置起動検出部２１１ａ及びクロストーク制御依頼信号生成部２１１ｂ、装置起動検出部２２１ａ及びクロストーク制御依頼信号生成部２２１ｂを設けることで、同様の効果を奏する。
【００４４】
次に、子モデム１１を起動した場合の動作について説明する。子モデム１１を起動すると、子モデム１１はクロストーク制御処理を行う。クロストークノイズの影響がない場合の処理を図５に示す。以下に処理手順を示す。
【００４５】
（Ｃ１）子モデム１１の起動時に、装置起動検出部１１１ａは子モデム１１の起動を検知し、装置起動検出部１１１ａからクロストーク制御依頼信号生成部１１１ｂに起動検知信号を送信する。これにより、クロストーク制御依頼信号生成部１１１ｂはモデム部１１ｂ、ペア線インタフェース部１１ａ、及び第１のマルチドロップペア線１を介してクロストーク制御依頼信号を親モデム１０宛に送信する。クロストーク制御依頼信号は、ペア線インタフェース部１０ａ、モデム部１０ｂ、及びクロストーク制御部１０ｃを介してクロストーク制御依頼検出部１０１ａに受信される。
【００４６】
（Ｃ２）クロストーク制御依頼検出部１０１ａは、クロストーク制御部１０ｃに、ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））を生成することを指示する。これにより、クロストーク制御部１０ｃはクロストーク影響検知用信号（事前通知）を生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００４７】
（Ｃ３）ペア線インタフェース部１０ａから第２のマルチドロップペア線２に送出される信号のクロストークノイズが、子モデム１１及び子モデム１２に影響していないかを確認するための信号（クロストーク影響検知用信号）をクロストーク制御部１０ｃで生成し、モデム部１０ｂ、ペア線インタフェース部１０ａ、及び第２のマルチドロップペア線２を介して子モデム２１及び子モデム２２宛に送信する。
【００４８】
（Ｃ４）子モデム１１は、子モデム１１自身が通信に使用する周波数帯域の電力レベルを監視しておき、この電力レベルが予め設定等によって登録されている閾値レベルを超えないか、ｎ秒間監視する。  
【００４９】
（Ｃ５）上記Ｃ４項で閾値レベル以上の信号が検知されなかった場合、クロストークノイズの影響が無いことを示す信号（クロストーク影響通知（影響無し））をクロストーク監視部１１ｃで生成し、モデム部１１ｂ及びペア線インタフェース部１１ａを介して親モデム１０宛に送信する。クロストーク影響通知（影響なし）は、ペア線インタフェース部１０ａ及びモデム部１０ｂを介してクロストーク制御部１０ｃに受信される。
【００５０】
（Ｃ６）上記Ｃ２項のクロストーク影響検知用信号（事前通知）をクロストーク制御部１０ｃで生成し、モデム部１０ｂ、ペア線インタフェース部１０ａ、及び第１のマルチドロップペア線１を介して子モデム１２宛に送信する。クロストーク影響検知用信号（事前通知）は、ペア線インタフェース部１２ａ及びモデム部１２ｂを介してクロストーク監視部１２ｃに受信される。
【００５１】
（Ｃ７）上記Ｃ３項のクロストーク影響検知用信号をクロストーク制御部１０ｃで生成し、モデム部１０ｂ、ペア線インタフェース部１０ａ、及び第２のマルチドロップペア線２を介して子モデム２１及び子モデム２２宛に送信する。
【００５２】
（Ｃ８）子モデム１２は、子モデム１２自身が通信に使用する周波数帯域の電力レベルを監視しておき、この電力レベルが予め設定等によって登録されている閾値レベルを超えないか、ｎ秒間監視する。
【００５３】
（Ｃ９）上記Ｃ８項で閾値レベル以上の信号が検知されなかった場合、クロストークノイズの影響が無いことを示す信号（クロストーク影響通知（影響無し））をクロストーク監視部１２ｃで生成し、モデム部１２ｂ及びペア線インタフェース部１２ａを介して親モデム１０宛に送信する。
【００５４】
（Ｃ１０）ペア線インタフェース部１０ａから第１のマルチドロップペア線１に送出される信号のクロストークノイズが、子モデム２１及び子モデム２２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第２のマルチドロップペア線２を介して子モデム２１宛に送信する。クロストーク影響検知用信号（事前通知）は、ペア線インタフェース部２１ａ及びモデム部２１ｂを介してクロストーク監視部２１ｃに受信される。
【００５５】
（Ｃ１１）ペア線インタフェース部１０ａから第１のマルチドロップペア線１に送出される信号のクロストークノイズが、子モデム２１及び子モデム２２に影響していないかを確認するための信号（クロストーク影響検知用信号）をクロストーク制御部１０ｃで生成し、モデム部１０ｂ、ペア線インタフェース部１０ａ、及び第１のマルチドロップペア線１を介して子モデム１１及び子モデム１２宛に送信する。
【００５６】
（Ｃ１２）子モデム２１は、子モデム２１自身が通信に使用する周波数帯域の電力レベルを監視しておき、この電力レベルが予め設定等によって登録されている閾値レベルを超えないか、ｎ秒間監視する。
【００５７】
（Ｃ１３）上記Ｃ１２項で閾値レベル以上の信号が検知されなかった場合、クロストークノイズの影響が無いことを示す信号（クロストーク影響通知（影響無し）をクロストーク監視部２１ｃで生成し、モデム部２１ｂ及びペア線インタフェース部２１ａを介して親モデム１０宛に送信する。
【００５８】
（Ｃ１４）上記Ｃ１０項のクロストーク影響検知用信号（事前通知）をクロストーク制御部１０ｃで生成し、モデム部１０ｂ、ペア線インタフェース部１０ａ、及び第２のマルチドロップペア線２を介して子モデム２２に送信する。クロストーク影響検知用信号（事前通知）は、ペア線インタフェース部２２ａ及びモデム部２２ｂを介してクロストーク監視部２２ｃに受信される。
【００５９】
（Ｃ１５）上記Ｃ１１項のクロストーク影響検知用信号をクロストーク制御部１０ｃで生成し、モデム部１０ｂ、ペア線インタフェース部１０ａ、及び第１のマルチドロップペア線１を介して子モデム１１及び子モデム１２宛に送信する。
【００６０】
（Ｃ１６）子モデム２２は、子モデム２２自身が通信に使用する周波数帯域の電力レベルを監視しておき、この電力レベルが予め設定等によって登録されている閾値レベルを超えないか、ｎ秒間監視する。
【００６１】
（Ｃ１７）上記Ｃ１６項で閾値レベル以上の信号が検知されなかった場合、クロストークノイズの影響が無いことを示す信号（クロストーク影響通知（影響無し））をクロストーク監視部２２ｃで生成し、モデム部２２ｂ及びペア線インタフェース部２２ａを介して親モデム１０宛に送信する。
【００６２】
次に、ストロークノイズの影響がある場合は図６の処理を行う。以下に処理手順を示す。なお、下記手順は、第２のマルチドロップペア線２上の信号によるクロストークノイズが、子モデム１１に影響を及ぼしている例について説明する。
【００６３】
（Ｄ１）子モデム１１の起動時に、装置起動検出部１１１ａは子モデム１１の起動を検知し、装置起動部１１１ａからクロストーク制御依頼信号生成部１１１ｂに起動検知信号を送信する。これにより、クロストーク制御依頼信号生成部１１１ｂが、モデム部１１ｂ、ペア線インタフェース部１１ａ、及び第１のマルチドロップペア線１を介して、クロストーク制御依頼信号を親モデム１０宛に送信する。クロストーク制御依頼信号は、ペア線インタフェース部１０ａ、モデム部１０ｂ、及びクロストーク制御部１０ｃを介して、クロストーク制御依頼検出部１０１ａに受信される。
【００６４】
（Ｄ２）クロストーク制御依頼検出部１０１ａは、クロストーク制御部１０ｃに、ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））を生成することを指示する。これにより、クロストーク制御部１０ｃはクロストーク影響検知用信号（事前通知）を生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ、及びモデム部１１ｂを介してクロストーク監視部１１ｃに受信される。
【００６５】
（Ｄ３）ペア線インタフェース部１０ａから第２のマルチドロップペア線２に送出される信号のクロストークノイズが、子モデム１１及び子モデム１２に影響していないかを確認するための信号（クロストーク影響検知信号）をクロストーク制御部１０ｃで生成し、モデム部１０ｂ、ペア線インタフェース部１０ａ、及び第２のマルチドロップペア線２を介して子モデム２１及び子モデム２２宛送信する。
【００６６】
（Ｄ４）子モデム１１は、子モデム１１自身が通信に使用する周波数帯域の電力レベルを監視しておき、この電力レベルが予め設定等によって登録されている閾値レベルを超えないか、ｎ秒間監視する。
【００６７】
（Ｄ５）上記Ｄ４項で閾値レベル以上の信号が検知された場合、クロストークノイズの影響が有ることを示す信号（クロストーク影響信号（影響有り））をクロストーク監視部１１ｃで生成し、モデム部１１ｂ及びペア線インタフェース部１１ａを介して親モデム１０宛に送信する。クロストーク影響検知用信号（影響有り）は、ペア線インタフェース部１０ａ及びモデム部１０ｂを介してクロストーク制御部１０ｃに受信される。
【００６８】
（Ｄ６）クロストーク制御部１０ｃは、モデム部１０ｂに、モデム部１０ｂから第２のマルチドロップペア線２に送信される信号の電力レベルを下げるように、信号送信レベル制御線１０ｄを介して制御する。
【００６９】
（Ｄ７）クロストーク制御部１０ｃは、モデム部１０ｂからペア線インタフェース部１０ａを介して第２のマルチドロップペア線２に送信される信号の電力レベルを減衰（ダウン）させる。このとき減衰させる電力レベルは、予め設定等によって決められた値であってもよいし、任意のレベルでもよい。
【００７０】
（Ｄ８）ペア線インタフェース部１０ａから第２のマルチドロップペア線２に送出される信号のクロストークノイズが、子モデム１１及び子モデム１２に影響していないかを確認するための信号を送出することを事前に通知することを目的とした信号（クロストーク影響検知用信号（事前通知））をクロストークペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００７１】
（Ｄ９）ペア線インタフェース部１０ａから第２のマルチドロップペア線２に送出される信号のクロストークノイズが、子モデム１１及び子モデム１２に影響していないかを確認するための信号（クロストーク影響検知信号）をクロストーク制御部１０ｃで生成し、モデム部１０ｂ、ペア線インタフェース部１０ａ、及び第２のマルチドロップペア線２を介して子モデム２１及び子モデム２２宛送信する。
【００７２】
（Ｄ１０）子モデム１１は、子モデム１１自身が通信に使用する周波数帯域の電力レベルを監視しておき、この電力レベルが予め設定等によって登録されている閾値レベルを超えないか、ｎ秒間監視する。
【００７３】
（Ｄ１１）上記Ｄ１０項で閾値レベル以上の信号が検知された場合、閾値レベル以上の信号が検知されなくなるまで、上記Ｄ５〜Ｄ７項の処理を行う。また、上記Ｄ１０項で閾値レベル以上の信号が検知されなかった場合、クロストークノイズの影響がないことを示す信号（クロストーク影響通知（影響無し））をクロストーク監視部１１ｃで生成し、モデム部１１ｂ、及びペア線インタフェース部１１ａを介して親モデム１０宛に送信する。
【００７４】
実施の形態３．
なお、上記実施形態１では、クロストーク制御部１０ｃとクロストーク監視部１１ｃ、１２ｃ、２１ｃ、２２ｃにより、親モデム１０の起動時に子モデム１１〜２２が、隣接するマルチドロップペア線からのクロストークノイズを低減させる場合について述べたが、本実施の形態３では、図７に示すように、クロストーク制御部１０ｃにクロストーク低減タイミング生成部１０２ａを接続し、予めクロストーク低減タイミング生成部１０２ａに設定されたタイミング（定周期または不定期）に基づいて、クロストーク低減のための制御を行うことを可能にしている。これにより親モデム１０起動中に子モデム１１〜２２の周囲環境の変化等によって、クロストークの影響が生じた場合にでも、ダイナミックなタイミングでクロストークを抑えることが可能となり、システム全体の信頼性を更に高めることが可能となる。
【００７５】
次に動作について説明する。親モデム１０を起動すると、親モデム１０はクロストーク制御処理を行う。クロストークノイズの影響が無い場合は、図８の処理を行う。以下に処理手順を示す。
【００７６】
（Ｅ１）親モデム１０の起動時に、ペア線インタフェース部１０ａから第２のマルチドロップペア線２に送出される信号のクロストークノイズが、子モデム１１及び子モデム１２に影響していないかを確認するための信号を送信することを事前に通知することを目的とした信号（クロストーク影響検知用信号（事前通知））をクロストーク部１０ｃで生成し、モデム部１０ｂ、ペア線インタフェース部１０ａ、及び第１のマルチドロップペア線１を介して子モデム１１宛に送信する。クロストーク影響検知用信号（事前通知）は、ペア線インタフェース部１１ａ及びモデム部１１ｂを介してクロストーク監視部１１ｃに受信される。
【００７７】
（Ｅ２）ペア線インタフェース部１０ａから第２のマルチドロップペア線２に送出される信号のクロストークノイズが、子モデム１１及び子モデム１２に影響していないかを確認するための信号（クロストーク影響検知用信号）をクロストーク制御部１０ｃで生成し、モデム部１０ｂ、ペア線インタフェース部１０ａ、及び第２のマルチドロップペア線２を介して子モデム２１及び子モデム２２宛に送信する。
【００７８】
（Ｅ３）子モデム１１は、子モデム１１自身が通信に使用する周波数帯域の電力レベルを監視しておき、この電力レベルが予め設定等によって登録されている閾値レベルを超えてないか、ｎ秒間監視する。
【００７９】
（Ｅ４）上記Ｅ３項で閾値レベル以上の信号が検知されなかった場合、クロストークノイズの影響が無いことを示す信号（クロストーク影響通知（影響無し））をクロストーク監視部１１ｃで生成し、モデム部１１ｂ及びペア線インタフェース部１１ａを介して親モデム１０宛に送信する。クロストーク影響検知用信号（影響無し）は、ペア線インタフェース部１０ａ及びモデム部１０ｂを介してクロストーク制御部１０ｃに受信される。
【００８０】
（Ｅ５）上記Ｅ１項のクロストーク影響検知用信号（事前通知）をクロストーク制御部１０ｃで生成し、モデム部１０ｂ、ペア線インタフェース部１０ａ、及び第１のマルチドロップペア線１を介して子モデム１２宛に送信する。クロストーク影響検知用信号（事前通知）は、ペア線インタフェース部１２ａ及びモデム部１２ｂを介してクロストーク監視部１２ｃに受信される。
【００８１】
（Ｅ６）上記Ｅ２項のクロストーク影響検知用信号をクロストーク制御部１０ｃで生成し、モデム部１０ｂ、ペア線インタフェース部１０ａ、及び第２のマルチドロップペア線２を介して子モデム２１及び子モデム２２宛に送信する。
【００８２】
（Ｅ７）子モデム１２は、子モデム１２自身が通信に使用する周波数帯域の電力レベルを監視しておき、この電力レベルが予め設定等によって登録されている閾値レベルを超えないか、ｎ秒間監視する。
【００８３】
（Ｅ８）上記Ｅ７項で閾値レベル以上の信号が検知されなかった場合、クロストークノイズの影響が無いことを示す信号（クロストーク影響通知（影響無し））をクロストーク監視部１２ｃで生成し、モデム部１２ｂ及びペア線インタフェース部１２ａを介して親モデム１０宛に送信する。
【００８４】
（Ｅ９）ペア線インタフェース部１０ａから第１のマルチドロップペア線１に送出される信号のクロストークノイズが、子モデム２１及び子モデム２２に影響していないかを確認するための信号を送信することを事前に通知することを目的とした信号（クロストーク影響検知用信号（事前通知））をクロストーク制御部１０ｃで生成し、モデム部１０ｂ、ペア線インタフェース部１０ａ、及び第２のマルチドロップペア線２を介して子モデム２１宛に送信する。クロストーク影響検知用信号（事前通知）は、ペア線インタフェース部２１ａ及びモデム部２１ｂを介してクロストーク監視部２１ｃに受信される。
【００８５】
（Ｅ１０）ペア線インタフェース部１０ａから第１のマルチドロップペア線１に送出される信号のクロストークノイズが、子モデム２１及び子モデム２２に影響していないかを確認するための信号（クロストーク影響検知用信号）をクロストーク制御部１０ｃで生成し、モデム部１０ｂ、ペア線インタフェース部１０ａ、及び第１のマルチドロップペア線１を介して子モデム１１及び子モデム１２宛に送信する。
【００８６】
（Ｅ１１）子モデム２１は、子モデム２１自身が通信に使用する周波数帯域の電力レベルを監視しておき、この電力レベルが予め設定等によって登録されている閾値レベルを超えないか、ｎ秒間監視する。
【００８７】
（Ｅ１２）上記Ｅ１１項で閾値レベル以上の信号が検知されなかった場合、クロストークノイズの影響が無いことを示す信号（クロストーク影響通知（影響無し））をクロストーク監視部２１ｃで生成し、モデム部２１ｂ及びペア線インタフェース部２１ａを介して親モデム１０宛に送信する。
【００８８】
（Ｅ１３）上記Ｅ９項のクロストーク影響検知用信号（事前通知）をクロストーク制御部１０ｃで生成し、モデム部１０ｂ、ペア線インタフェース部１０ａ、及び第２のマルチドロップペア線２を介して子モデム２２に送信する。クロストーク影響検知用信号（事前通知）は、ペア線インタフェース部２１ａ及びモデム部２１ｂを介してクロストーク監視部２１ｃに受信される。
【００８９】
（Ｅ１４）上記Ｅ１０項のクロストーク影響検知用信号をクロストーク制御部１０ｃで生成し、モデム部１０ｂ、ペア線インタフェース部１０ａ、及び第１のマルチドロップペア線１を介して子モデム１１及び子モデム１２宛に送信する。
【００９０】
（Ｅ１５）子モデム２２は、子モデム２２自身が通信に使用する周波数帯域の電力レベルを監視しておき、この電力レベルが予め設定等によって登録されている閾値レベルを超えないか、ｎ秒間監視する。
【００９１】
（Ｅ１６）上記Ｅ１５項で閾値レベル以上の信号が検知されなかった場合、クロストークノイズの影響が無いことを示す信号（クロストーク影響通知（影響無し））をクロストーク監視部２２ｃで生成し、モデム部２２ｂ及びペア線インタフェース部２２ａを介して親モデム１０宛に送信する。
【００９２】
（Ｅ１７）クロストーク低減タイミング生成部１０２ａはタイムカウントを開始し、ｍ秒をカウントすると（ｍ秒定周期）、上記Ｅ１項のクロストーク影響検知用信号（事前通知）を生成する。以降、上記Ｅ２〜Ｅ１７項を繰り返す。
【００９３】
なお、クロストーク低減タイミング生成部１０２ａが生成するタイミングがｍ秒定周期である場合について説明したが、クロストーク低減タイミング生成部１０２ａが生成するタイミングが不定期であっても同様の効果を奏する。また、クロストーク低減タイミング生成部１０２ａが、親モデムが子モデム２２からクロストーク影響通知（影響無し）を受信したことを契機にタイマカウントを開始する場合について説明したが、タイマカウントの開始契機がどこであっても、繰り返し上記Ｅ１〜Ｅ１７項の処理を行うことで同様の効果を奏する。
【００９４】
実施の形態４．
なお、上記実施形態１では、クロストーク制御部１０ｃとクロストーク監視部１１ｃ、１２ｃ、２１ｃ、２２ｃにより、親モデム１０の起動時に子モデム１１〜２２が、隣接するマルチドロップペア線からのクロストークノイズを低減させる場合について述べたが、本実施の形態４では、図９に示すように、親モデム１０内にクロストーク発生箇所推測部１０３ａ及びクロストーク発生箇所通知部１０３ｂを設け、クロストーク制御部１０ｃとクロストーク発生箇所推測部１０３ａを接続し、クロストーク発生箇所推測部１０３ａとクロストーク発生箇所通知部１０３ｂを接続する。３はネットワーク管理装置で、親モデム１０に接続されている。
【００９５】
これにより、クロストーク発生箇所推測部１０３ａは、クロストーク制御部１０ｃを介してクロストーク影響通知（影響有り）を受信し、クロストーク発生箇所推測部１０３ａでどの区間でクロストークが発生しているかを推測し、その情報をクロストーク発生箇所通知部１０３ｂを介して、本システムを管理しているネットワーク管理装置３等の装置へ送信するようにしたので、例えば子モデム１１でクロストークの影響を検知したが、子モデム１２でクロストークの影響を検知しなかった場合、親モデム１０から子モデム１１付近の間で、隣接するマルチドロップペア線と並走距離が長い等の問題点が推測でき、保守の効率化を図ることができる。
【００９６】
実施の形態５．
なお、上記実施形態１では、１台の親モデム１０内のペア線インタフェース部１０ａに、第１のマルチドロップペア線１及び第２のマルチドロップペア線２を接続する場合について述べたが、本実施の形態５では、図１０に示すように、親モデム（マスタ）４１内に、クロストーク制御インタフェース部４１ａ及びクロストーク制御調停部４１ｂを設け、クロストーク制御部１０ｃとクロストーク制御調停部４１ｂを接続し、更にクロストーク制御調停部４１ｂとクロストーク制御インタフェース部４１ａを接続した。また、親モデム（スレーブ）４２内に、クロストーク制御インタフェース部４２ａを設け、クロストーク制御部１０ｃとクロストーク制御インタフェース部４２ａを接続する。また、親モデム（マスタ）４１と親モデム（スレーブ）４２間は、モデム間ケーブル４３を接続する。その他の構成は実施の形態１と同様なので、相当する要素に同一符号を付して説明を省略する。
【００９７】
これにより、第１のマルチドロップペア線１の信号注入箇所と、第２のマルチドロップペア線２の信号注入箇所が離れている場合にも、モデム間ケーブル４３を介して親モデム（マスタ）４１と親モデム（スレーブ）４２間でクロストーク制御を行うことができるようにしたので、親モデムの設置ロケーションに柔軟に対応することができ、施工や保守の効率化を図ることができる。
【００９８】
次に動作を説明する。クロストークノイズの影響がある場合の処理について図１１に示す。以下に処理手順を示す。なお、下記手順は、第２のマルチドロップペア線２上の信号によるクロストークノイズが、子モデム１１に影響を及ぼしている例について記載する。
【００９９】
（Ｆ１）親モデム（マスタ）４１は、クロストーク影響検知用信号（事前通知）をクロストーク制御部１０ｃで生成し、モデム部１０ｂ、ペア線インタフェース部１０ａ、及び第１のマルチドロップペア線１を介して子モデム１１宛に送信する。このとき、クロストーク制御調停部４１ｂは、クロストーク制御インタフェース部４１ａ、モデム間ケーブル４３及びクロストーク制御インタフェース部４２ａを介して親モデム（スレーブ）４２内のクロストーク制御部１０ｃに、クロスーク影響検知用信号を送信するように指示する。
【０１００】
（Ｆ２）親モデム（スレーブ）４２は、クロストーク影響検知用信号をクロストーク制御部１０ｃで生成し、モデム部１０ｂ、ペア線インタフェース部１０ａ及び第２のマルチドロップペア線２を介して子モデム２１及び子モデム２２宛に送信する。
【０１０１】
（Ｆ３）子モデム１１は、子モデム１１自身が通信に使用する周波数帯域の電力レベルを監視しておき、この電力レベルが予め設定等によって登録されている閾値レベルを超えないか、ｎ秒間監視する。
【０１０２】
（Ｆ４）上記Ｆ３項で閾値レベル以上の信号が検知された場合、クロストーク影響通知（影響有り）をクロストーク監視部１１ｃで生成し、モデム部１１ｂ及びペア線インタフェース部１１ａを介し親モデム（マスタ）４１宛に送信する。クロストーク影響検知用信号（影響有り）は、ペア線インタフェース部１０ａ及びモデム部１０ｂを介してクロストーク制御部１０ｃに受信される。
【０１０３】
（Ｆ５）親モデム（マスタ）４１内のクロストーク制御部１０ｃは、クロストーク制御調停部４１ｂ、クロストーク制御インタフェース部４１ａ、モデム間ケーブル４３、及びクロストーク制御インタフェース部４２ａを介して、親モデム（スレーブ）４２内のクロストーク制御部１０ｃに対して、親モデム（スレーブ）４２内のモデム部１０ｂから第２のマルチドロップペア線２に送信される信号の電力レベルを下げるように、信号送信レベル制御線１０ｄを介して制御する。
【０１０４】
（Ｆ６）親モデム（スレーブ）４２内のクロストーク制御部１０ｃは、モデム部１０ｂから第２のマルチドロップペア線２に送信される信号の電力レベルを減衰（ダウン）させる。このとき減衰させる電力レベルは、予め設定等によって決められた値であってもよいし、任意のレベルでもよい。
【０１０５】
（Ｆ７）親モデム（スレーブ）４２内のクロストーク制御部１０ｃは、電力レベルの減衰が完了したら、クロストーク制御インタフェース部４２ａ、モデム間ケーブル４３及びクロストーク制御インタフェース部４１ａを介して、親モデム（マスタ）４１内のクロストーク制御部１０ｃに、電力レベルの減衰が完了したことを通知する。
【０１０６】
（Ｆ８）親モデム（マスタ）４１は、クロストーク影響検知用信号（事前通知）をクロストーク制御部１０ｃで生成し、モデム部１０ｂ、ペア線インタフェース部１０ａ、及び第１のマルチドロップペア線１を介して子モデム１１宛に送信する。
【０１０７】
（Ｆ９）親モデム（スレーブ）４２は、クロストーク影響検知信号をクロストーク制御部１０ｃで生成し、モデム部１０ｂ、ペア線インタフェース部１０ａ、及び第２のマルチドロップペア線２を介して子モデム２１及び子モデム２２宛に送信する。
【０１０８】
（Ｆ１０）子モデム１１は、子モデム１１自身が通信に使用する周波数帯域の電力レベルを監視しておき、この電力レベルが予め設定等によって登録されている閾値レベルを超えないか、ｎ秒間監視する。
【０１０９】
（Ｆ１１）上記Ｆ１０項で閾値レベル以上の信号が検知された場合、閾値レベル以上の信号が検知されなくなるまで、上記Ｆ４〜Ｆ７項の処理を繰り返して行う。また、上記Ｆ９項で閾値レベル以上の信号が検知されなかった場合、クロストーク影響通知（影響無し）をクロストーク監視部１１ｃで生成し、モデム部１１ｂ及びペア線インタフェース部１１ａを介して親モデム（マスタ）４１に送信する。
【符号の説明】
【０１１０】
１  第１マルチドロップペア線、        ２  第２マルチドロップペア線、
３  ネットワーク管理装置、            １０  親モデム、
１０ａ  ペア線インタフェース、        １０ｂ  モデム部、
１０ｃ  クロストーク制御部、          １０ｄ  信号送信レベル制御線、
１１、１２，２１，２２  子モデム、
１１ａ、１２ａ，２１ａ，２２ａ  ペア線インタフェース部、
１１ｂ、１２ｂ、２１ｂ、２２ｂ  モデム部、
１１ｃ、１２ｃ、２１ｃ、２２ｃ  クロストーク監視部、
４１  親モデム（マスタ）、
４１ａ  クロストーク制御インタフェース部、
４１ｂ  クロストーク制御調停部、
４２  親モデム（スレーブ）、
４２ａ  クロストーク制御インタフェース部、
４３  モデム間ケーブル、
１０１ａ  クロストーク制御依頼検出部、
１０２ａ  クロストーク低減タイミング生成部、
１０３ａ  クロストーク発生場所推測部、
１０３ｂ  クロストーク発生箇所通知部、
１１１ａ  装置起動検出部、
１１１ｂクロストーク制御依頼信号生成部。
【図１】
2010161558.tif 000003
【図２】
2010161558.tif 000004
【図３】
2010161558.tif 000005
【図４】
2010161558.tif 000006
【図５】
2010161558.tif 000007
【図６】
2010161558.tif 000008
【図７】
2010161558.tif 000009
【図８】
2010161558.tif 000010
【図９】
2010161558.tif 000011
【図１０】
2010161558.tif 000012
【図１１】
2010161558.tif 000013